【手続補正書】
【提出日】平成17年1月7日(2005.1.7)
【手続補正１】
【補正対象書類名】明細書
【補正対象項目名】特許請求の範囲
【補正方法】変更
【補正の内容】
【特許請求の範囲】
【請求項１】
主コンデンサと、該主コンデンサに充電を行うフライバック式ＤＣ／ＤＣコンバータとを有するコンデンサ充電装置において、
前記ＤＣ／ＤＣコンバータのトランスの一次巻線に電流駆動を行う一次電流駆動手段と、該一次電流駆動手段の電流の駆動停止により発生する二次巻線に流れる二次電流を検出する二次電流検出手段と、該二次電流検出手段の検出結果から、コンデンサ充電装置の回路の異常を検出する異常検出手段とを有することを特徴とするコンデンサ充電装置。
【請求項２】
主コンデンサと、該主コンデンサに充電を行うフライバック式ＤＣ／ＤＣコンバータとを有するコンデンサ充電装置において、
前記ＤＣ／ＤＣコンバータのトランスの一次巻線に電流駆動を行う一次電流駆動手段と、該一次電流駆動手段の電流の駆動停止により発生する二次巻線に流れる二次電流を検出する二次電流検出手段と、前記一次電流駆動手段の前記一次巻線への電流の駆動停止から前記二次電流が所定電流まで低下する時間、或いは、前記二次電流が停止するまでの時間を計時する二次電流放出時間計時手段と、該二次電流放出時間計時手段の計時結果から、コンデンサ充電装置の回路の異常を検出する異常検出手段とを有することを特徴とするコンデンサ充電装置。
【請求項３】
前記異常検出手段は、前記二次電流放出時間計時手段の計時結果が所定時間以下である場合を異常と判定することを特徴とする請求項２に記載のコンデンサ充電装置。
【請求項４】
主コンデンサと、該主コンデンサに充電を行うフライバック式ＤＣ／ＤＣコンバータとを有するコンデンサ充電装置において、
前記ＤＣ／ＤＣコンバータのトランスの一次巻線に電流駆動を行う一次電流駆動手段と、該一次電流駆動手段の電流の駆動停止により発生する二次巻線に流れる二次電流を検出する二次電流検出手段と、前記一次電流駆動手段の前記一次巻線への電流の駆動停止から前記二次電流が所定電流まで低下する時間、或いは、前記二次電流が停止するまでの時間を計時する二次電流放出時間計時手段と、前記主コンデンサの充電電圧を検出する充電電圧検出手段と、前記二次電流放出時間計時手段の計時結果と充電電圧検出手段の充電結果から、コンデンサ充電装置の回路の異常を検出する異常検出手段とを有することを特徴とするコンデンサ充電装置。
【請求項５】
二次電流放出時間と前記主コンデンサの充電電圧の関係をあらかじめ記憶していることを特徴とする請求項４に記載のコンデンサ充電装置。
【請求項６】
前記異常検出手段は、前記あらかじめ記憶されている前記二次電流放出時間と前記主コンデンサの充電電圧の関係より、前記二次電流放出時間計時手段の計時結果に対して、前記主コンデンサの充電電圧が所定電圧範囲外である場合に、異常と判定することを特徴とする請求項５に記載のコンデンサ充電装置。
【請求項７】
請求項１〜６の何れかに記載のコンデンサ充電装置を有することを特徴とするカメラのストロボ充電装置。
【手続補正２】
【補正対象書類名】明細書
【補正対象項目名】０００５
【補正方法】変更
【補正の内容】
【０００５】
【課題を解決するための手段】上記目的を達成するために、請求項１に記載の発明は、主コンデンサと、該主コンデンサに充電を行うフライバック式ＤＣ／ＤＣコンバータとを有するコンデンサ充電装置において、前記ＤＣ／ＤＣコンバータのトランスの一次巻線に電流駆動を行う一次電流駆動手段と、該一次電流駆動手段の電流の駆動停止により発生する二次巻線に流れる二次電流を検出する二次電流検出手段と、該二次電流検出手段の検出結果から、コンデンサ充電装置の回路の異常を検出する異常検出手段とを有するコンデンサ充電装置とするものである。
上記構成によれば、一次電流駆動手段によりトランスの一次巻線に対して１回目の電流駆動およびその駆動停止を行った後に流れる二次電流の検出結果を基に、回路の異常を検出するようにしている。
同じく上記目的を達成するために、請求項２及び３に記載の発明は、主コンデンサと、該主コンデンサに充電を行うフライバック式ＤＣ／ＤＣコンバータとを有するコンデンサ充電装置において、前記ＤＣ／ＤＣコンバータのトランスの一次巻線に電流駆動を行う一次電流駆動手段と、該一次電流駆動手段の電流の駆動停止により発生する二次巻線に流れる二次電流を検出する二次電流検出手段と、前記一次電流駆動手段の前記一次巻線への電流の駆動停止から前記二次電流が所定電流まで低下する時間、或いは、前記二次電流が停止するまでの時間を計時する二次電流放出時間計時手段と、該二次電流放出時間計時手段の計時結果から、コンデンサ充電装置の回路の異常を検出する異常検出手段とを有するコンデンサ充電装置とするものである。
【手続補正３】
【補正対象書類名】明細書
【補正対象項目名】０００７
【補正方法】変更
【補正の内容】
【０００７】
同じく目的を達成するために、請求項４〜６の何れかに記載の発明は、主コンデンサと、該主コンデンサに充電を行うフライバック式ＤＣ／ＤＣコンバータとを有するコンデンサ充電装置において、前記ＤＣ／ＤＣコンバータのトランスの一次巻線に電流駆動を行う一次電流駆動手段と、該一次電流駆動手段の電流の駆動停止により発生する二次巻線に流れる二次電流を検出する二次電流検出手段と、前記一次電流駆動手段の前記一次巻線への電流の駆動停止から前記二次電流が所定電流まで低下する時間、或いは、前記二次電流が停止するまでの時間を計時する二次電流放出時間計時手段と、前記主コンデンサの充電電圧を検出する充電電圧検出手段と、前記二次電流放出時間計時手段の計時結果と充電電圧検出手段の充電結果から、コンデンサ充電装置の回路の異常を検出する異常検出手段とを有するコンデンサ充電装置とするものである。
【手続補正４】
【補正対象書類名】明細書
【補正対象項目名】０００９
【補正方法】変更
【補正の内容】
【０００９】
同じく目的を達成するために、請求項７に記載の発明は、請求項１〜６の何れかに記載のコンデンサ充電装置を有するカメラのストロボ充電装置とするものである。
【手続補正５】
【補正対象書類名】明細書
【補正対象項目名】００１２
【補正方法】変更
【補正の内容】
【００１２】
同図において、１０１は電源であるところの電池、１０１ａは電池内部抵抗である。１０２はコンデンサであり、電池１０１と並列に接続されている。１０３はＩＣより成る制御回路であり、カメラの測光、測距、レンズ駆動、フィルム給送等のカメラシーケンス及びストロボ装置の制御を行う。１０３ｃはＤ／Ａコンバータであり、マイコン１０３ａの設定信号により、任意に電圧を出力する。１０３ｂはＡ／Ｄコンバータであり、入力された電圧をデジタル化する。１０３ｄはコンパレータであり、後述のトランス１０４の一次巻線の電流が設定電流に至ったか否かを抵抗１２３にて発生する電圧を基に検出する。１０３ｅは抵抗であり、コンパレータ１０３ｄの出力をプルアップしている。１０３ｆは二次電流の放出時間を計時する二次電流放出時間計時ブロックである。
【手続補正６】
【補正対象書類名】明細書
【補正対象項目名】００１４
【補正方法】変更
【補正の内容】
【００１４】
１２１は抵抗であり、片側をトランジスタ１２０のコレクタに、もう片側を制御回路１０３に、それぞれ接続されている。１２３は抵抗であり、抵抗１２１が接続される制御回路１０３の入力を電源Ｖｃｃにプルアップしている。１０８はトリガー回路である。１０９は放電管であり、トリガー回路１０８よりトリガー電圧を受け、主コンデンサ１０７に蓄積された電荷により発光する。１１０は充電電圧分圧回路であり、主コンデンサ１０７に蓄積された電圧を分圧し、充電電圧を制御回路１０３内のＡ／Ｄコンバータ１０３ｂにより検出する。
【手続補正７】
【補正対象書類名】明細書
【補正対象項目名】００１７
【補正方法】変更
【補正の内容】
【００１７】
図２は昇圧動作時のタイミングチャートであり、詳しくは、図２（ａ）は主コンデンサ１０７の充電電圧が５０Ｖ程度、図２（ｂ）は主コンデンサ１０７の充電電圧が１５０Ｖ程度、図２（ｃ）は主コンデンサ１０７の充電電圧が３００Ｖ程度の時の各電流及び信号ａ〜ｄである。
【手続補正８】
【補正対象書類名】明細書
【補正対象項目名】００１８
【補正方法】変更
【補正の内容】
【００１８】
次に、昇圧動作について、図２（ａ） の主コンデンサ１０７の充電電圧が５０Ｖ程度の時を例にして、以下に説明する。
【手続補正９】
【補正対象書類名】明細書
【補正対象項目名】００６２
【補正方法】変更
【補正の内容】
【００６２】
上記説明したように、正常な回路状態では二次電流の放出時間が検出されるのに対して、トランス１０４の二次巻線、整流ダイオード１０６、主コンデンサ１０７、ダイオード１２０のループで構成される放電ループがオープン状態、或いはトランス１０４の一次側巻線、或いは二次側巻線のショートといった、回路のトラブルが発生した場合、二次電流放出時間検出ブロック１０３ｆの計時時間は検出されない結果となる。そして、計時時間の結果をマイコン１０３ａ内のＲＡＭに記憶する。
【手続補正１０】
【補正対象書類名】明細書
【補正対象項目名】００６４
【補正方法】変更
【補正の内容】
【００６４】
また、上記ステップ＃４０４にて正常としてステップ＃４０５へ進むと、制御回路１０３内のＡ／Ｄコンバータ１０３ｄに充電電圧分圧回路１１０を介した電圧により充電電圧の検出を行い、その検出結果をマイコン１０３ａ内のＲＡＭに記憶する。そして、次のステップ＃４０６にて、上記ステップ＃４０３にて検出し二次電流放出時間と上記ステップ＃４０５にて検出した充電電圧（Ａ／Ｄ変換値）とを比較する。この充電電圧と二次電流放出時間の比較は、以下のように行う。
【手続補正１１】
【補正対象書類名】明細書
【補正対象項目名】００７０
【補正方法】変更
【補正の内容】
【００７０】
また、ここでの回路異常であるか否かの判定の仕方としては、図１０に示すような条件を満たした結果を回路が正常とする。この条件は、充電電圧に応じて二次電流放出時間をｔとしてある程度の幅を持った条件とする。また、この回路を正常とする二次電流放出時間の条件は、トランスの大きさ、巻線の巻数に応じて任意に設定するものである。